(57)【要約】【課題】  ザルの対向する側縁に連結部材を備えることで一つのザルを二つに分割して使用することができ、仕切り板を装着することにより一つのザルで具材を小分けして入れることができ、まな板上で切った具材を手で掬うことなくザルの中へ入れることができる分割型ザルを提供する。【解決手段】  二分割可能に形成したザルの対向側縁３に連結部材５を備えることによりザルを容易に分割して使用することができ、対向側縁３に仕切り板７を装着するための仕切り板挿入溝６を備えることによりザルの中を仕切って小分けして具材を入れることができる。また、シンク用固定部材９を使用し、ザルをシンクに固定することによりまな板上で切った具材を手で掬うことなくザルの中へ入れることができる分割型ザルである。【選択図】  図４
2014132944.tif 000002
【特許請求の範囲】
【請求項１】
二分割可能に形成したザルの対向側縁に、連結部材を備えることを特徴とする分割型ザル。
【請求項２】
前記分割型ザルの対向側縁に仕切り板を装着するための溝を備えることを特徴とする請求項１記載の分割型ザル。
【請求項３】
前記分割型ザルの対向側縁に仕切り板を装着するための前記溝に、仕切り板を装着した状態で、この仕切り板の適当な位置に縦溝を設け、この仕切り板の縦溝に対向した位置に設けたザル側縁に溝を形成し、前記仕切り板の縦溝とザルの側縁の溝との間で中仕切り小板を取り付け可能とした請求項２記載の分割型ザル。
【請求項４】
前記分割型ザルの上縁に、シンク用固定部材に固定するための溝を備えることを特徴とする請求項１乃至請求項３記載の分割型ザル。
【発明の詳細な説明】
【技術分野】
【０００１】
本発明は、二分割を可能に形成したザルであって、対向側縁に連結部材を備えることを特徴とし、二つに分割して使用することができる分割型ザルに関するものである。
【背景技術】
【０００２】
ザルは、一般的には円形や四角形のものなどがあるが、いずれも一体成型で連結部材を備えて二つに分割できるものはなかった。一つのザルに１種類の具材しか入れることができず、別の具材を入れる際はいったん別の容器に移すか別のザルを使用しなければならず、複数のザルを使用することにより洗い物も増えた。
【先行技術文献】
【特許文献】
【０００３】
【特許文献１】特開２００２-４７６号公報
【０００４】
特許文献１では、手つきザルにシンク用引っ掛けレバーを取り付け、調理台のスペースを有効に利用し調理時の水切り作業を効率よく行うことができるザルで、ザルの手とレバーを備えることによりシンクの両縁に引っ掛けて使用することができるシンク用引っ掛けレバー付きザルである。
【０００５】
特許文献１の問題点として、これまでの円形状のザルとの違いは手つきザルの手、ストッパー、レバーが一体成型になっているため目的の通りシンクに固定して使用する時は良いが、例えば調理台の上で使用する時などは手つきザルの手、ストッパー、レバーが邪魔になり調理台のスペースも狭くなり台の上に置くとレバーなどでザルが傾き安定性に問題があった。また、収納する際にはザルの手やレバーなどが邪魔になり収納スペースが必要である。
【０００６】
まな板上で切った具材をザルに入れる際には手で掬うか、まな板ごとザルの所へ持っていき具材をザルに入れなければならず手間がかかる。
【０００７】
ザルには１種類の具材を入れることしかできないため、別の具材を入れる際は別の新しいザルを使用するか、いったん別の容器に移す必要があり、入れていた具材によればザルをいったん洗う必要も生じ手間がかかり、ザルを洗う際にはレバーなどが邪魔になり洗いにくい。
【０００８】
以上のように、先行技術においては収納スペースに問題があり、まな板上で切った具材をザルに入れる際の手間や少量の何種類かの具材をザルに入れる際には複数のザルを使用しなければならず、作業効率を上げるにはさらに改良の必要がある。
【発明の概要】
【発明が解決しようとする課題】
【０００９】
（イ）調理台の上でザルを使用すると調理スペースが狭くなる。
（ロ）収納する際にはザルの手やレバーなどが邪魔になり収納スペースが必要である。
（ハ）１つのザルでは具材が１種類しか入れることができず、違う種類の具材を入れる時は一旦違う容器に移さなければならない手間が増える。
（ニ）具材を一旦違う容器やザルに移すと洗い物も増える。
（ホ）少量の具材を入れるのであれば、調理スペースを考えると小さいザルでよい。
（ヘ）まな板の上で切った具材をザルに入れる際には、具材を手で掬って入れるか、まな板ごとザルの所へ持っていき具材をザルに入れなければならず手間がかかる。
【００１０】
本発明は、上記問題点に鑑みてなされたもので、ザルの対向する側縁に連結部材を備えることで一つのザルを二つに分割して使用することができ、仕切り板を装着することにより一つのザルで具材を小分けして入れることができ、まな板上で切った具材を手で掬うことなくザルの中へ入れることができる分割型ザルを提供することを目的とする。
【課題を解決するための手段】
【００１１】
上記課題を解決し上記目的を達成するために、本発明のうち第１の態様に係るものは、
二分割可能に形成したザルの対向側縁に、連結部材を備えることを特徴とする分割型ザルである。
【００１２】
本発明によれば、二分割可能に形成したザルの対向側縁に連結部材を備えているので、容易にザルを二つに分割して使用することができ、一つに組み合わせて使用することもできる。
【００１３】
本発明のうち第２の態様に係るものは、第１の態様に係る分割型ザルであって、前記分割型ザルの対向側縁に仕切り板を装着するための溝を備えることを特徴とする請求項１記載の分割型ザルである。
【００１４】
本発明によれば、分割型ザルの対向する側縁に仕切り板を装着するための溝を備えているので、仕切り板を側縁の上方から側縁の溝に沿ってスライドさせて容易に装着することができる。
【００１５】
本発明のうち第３の態様に係るものは、第２の態様に係る分割型ザルであって、前記分割型ザルの対向側縁に仕切り板を装着するための前記溝に、仕切り板を装着した状態で、この仕切り板の適当な位置に縦溝を設け、この仕切り板の縦溝に対向した位置に設けたザル側縁に溝を形成し、前記仕切り板の縦溝とザルの側縁の溝との間で中仕切り小板を取り付け可能とした請求項２記載の分割型ザルである。
【００１６】
本発明によれば、二分割したザルの対向する側縁に仕切り板を装着した状態で、さらに中仕切り小板を装着するため、前記仕切り板の適当な位置に縦溝を設け、この仕切り板の縦溝に対向した位置に設けたザルの側縁にも溝を形成し、中仕切り小板を前記仕切り板の縦溝とザルの前記側縁の溝に沿って仕切り板と側縁の上方からスライドさせて容易に装着することができる。
【００１７】
本発明のうち第４の態様に係るものは、第１の態様から第３の態様に係る分割型ザルであって、前記分割型ザルの上縁に、シンク用固定部材に固定するための溝を備えることを特徴とする請求項１乃至請求項３記載の分割型ザルである。
【００１８】
本発明によれば、シンク用固定部材に分割型ザルを固定するため、分割型ザルの上縁に溝を備え、シンクに固定したシンク用固定部材に分割型ザルを上方から嵌め込んで固定することができる。  
【発明の効果】
【００１９】
先行技術ではこれまで、手つきザルにシンク用引っ掛けレバーを取り付け、調理台のスペースを有効に利用できるザルがあったが、本発明による分割型ザルは、ザルの対向する側縁にザルを分割するための連結部材を備えているので、一つのザルを二つに分割または一つに組み合わせて使用することができ、一つのザルで二通りの使い方ができる。収納する際も分割して重ねて収納すれば収納スペースも少なくてすむ。
【００２０】
分割型ザルを分割して仕切り板を装着することにより二つのザルとして使用することができる。分割せずに仕切り板を装着するとザルの中は仕切り板で仕切られ、一つのザルでそれぞれ違う種類の具材を分けて入れることができ、複数のザルを使用することなく調理後の洗い物も少なくてすむ。
【００２１】
シンク用固定部材を使用し、分割型ザルを固定することにより水切り作業はもちろんのこと、まな板の上で切った具材を手で掬うことなく包丁等で滑らせてそのままザルの中に落とし込むことができ作業効率が向上し調理台のスペースを有効に利用することができる。
【００２２】
分割型ザルに中仕切り小板をさらに２枚装着することによりザルの中は４つに仕切ることができ、分割型ザルを二つに分割した場合は２つに仕切ることができるので、違う種類の具材をさらに小分けして入れることができるため、具材を違う容器に移す手間もなく洗い物も少なくてすみ作業効率が向上する。
【図面の簡単な説明】
【００２３】
【図１】本発明の第１の実施例の分割型ザル１の上方斜視図である。
【図２】同分割型ザル１の対向する側縁３に備える連結部材５で連結する方法を示す拡大図である。
【図３】同分割型ザル１を分割した時の上方斜視図である。
【図４】同分割型ザル１に仕切り板７を装着する方法を示す上方斜視図である。
【図５】同分割型ザル１を重ねて収納する時の上方斜視図である。
【図６】同分割型ザル１の側縁３の側面拡大図である。
【図７】シンク用固定部材９の上方斜視図である。
【図８】同分割型ザル１に仕切り板７を装着し、シンク用固定部材９に固定した時の上方斜視図である。
【図９】シンク１１にシンク用固定部材９を固定し、同分割型ザル１を装着した時の上方斜視図である。
【図１０】図９におけるシンク１１の断面図である。
【図１１】同分割型ザル１を分割せずに仕切り板７を装着した状態の上面図である。
【図１２】本発明の第２の実施例の分割型ザル１３を分割した時の上方斜視図である。
【図１３】同分割型ザル１３の側縁１４の上方斜視図の拡大図である。
【図１４】（ａ）仕切り板１６の正面図である。（ｂ）仕切り板１６の上面図である。（ｃ）中仕切り小板１８の正面図である。
【図１５】同分割型ザル１３に仕切り板１６と中仕切り小板１８を装着する方法を示す上方斜視図である。
【図１６】同分割型ザル１３を分割せずに仕切り板１６と中仕切り小板１８を装着した状態の上面図である。
【図１７】（ａ）分割型ザル１９に仕切り板２３と中仕切り小板２４を装着する方法を示す上方斜視図である。（ｂ）シンク用固定部材２６の上方斜視図である。
【発明を実施するための形態】
【実施例１】
【００２４】
以下、本発明の分割型ザル１の実施例１について図面を参照しながら説明する。図１は本発明の分割型ザル１の上方斜視図であり、図２は同分割型ザル１の対向する側縁３に備える連結部材５で連結する方法を示す拡大図であり、図３は同分割型ザル１を分割した時の上方斜視図であり、図４は同分割型ザル１に仕切り板７を装着する方法を示す上方斜視図であり、図５は同分割型ザル１を重ねて収納する時の上方斜視図であり、図６は同分割型ザル１の側縁３の側面拡大図であり、図７はシンク用固定部材９の上方斜視図であり、図８は同分割型ザル１に仕切り板７を装着し、シンク用固定部材９に固定した時の上方斜視図であり、図９はシンク１１にシンク用固定部材９を固定し、同分割型ザル１を装着した時の上方斜視図であり、図１０は図９におけるシンク１１の断面図であり、図１１は同分割型ザル１を分割せずに仕切り板７を装着した状態の上面図である。
【００２５】
同分割型ザル１は、図１に示すようにザルの上縁２及び側縁３を備え二分割可能に形成
したザルであって、図２に示すようにザルの対向する側縁３に、連結部材５を備えているので、図３に示すように同分割型ザル１を切り離して分割することができる。連結部材５は側縁３に一箇所だけではなく、二つの互いに対向するザルを連結し、固定するために、図２に示すように互いに対向する側縁３の上部と、例えばそれ以外に側縁３の底部に設けることにより確実に固定することができる。二つの互いに対向するザルを固定できれば連結部材５を設ける位置は問わない。
【００２６】
分割して使用する場合は、図４に示すように仕切り板７を側縁３の上方から図２に示す仕切り板挿入溝６に嵌め込み、下方向にスライドして装着し半円形状のザルとして使用することができる。仕切り板７の両端上部がL字になっているのは同分割型ザル１を分割して使用する場合、側縁３が外側方向へ力が加わっても仕切り板７が外れないためである。分割してそれぞれに仕切り板７を装着すると、同じ半円形状のザルが二つできることになり、それぞれに違う種類の具材を入れることができる。調理スペースも有効に利用することができ、複数のザルを使用しなくてよいので、使用後の洗い物も少なく、収納する際も図５に示すように同分割型ザル１を分割し、重ねて収納すれば収納スペースも少なくてすむ。
【００２７】
図６に示すように上縁２の下方には図７に示すシンク用固定部材９に固定する時の固定溝８が設けられており、同分割型ザル１を分割して半円形状のザルとし、図８に示すようにシンク用固定部材９に固定することができる。図９に示すようにシンク用固定部材９をシンク１１の側面に吸盤１０を利用して固定し、二つに分割した同分割型ザル１に仕切り板７を装着しシンク用固定部材９の上方から固定溝８に嵌め込んでシンクに固定して使用することができる。固定する際は、シンク用固定部材９をシンク１１に固定してから同分割型ザル１を固定してもよいし、同分割型ザル１にシンク用固定部材９を装着してからシンク１１に固定してもよい。同分割型ザル１はシンク用固定部材９の上方から固定溝８に載せているだけなので、シンク１１にシンク用固定部材９を固定したまま同分割型ザル１だけを容易に上方向へ持ち上げて取り外すことができる。
【００２８】
図９に示すようにシンク１１に固定して使用すると、洗った具材の水切りもシンク１１の底面に接触することがないため効率がよく、衛生的にもよい。シンク用固定部材９で固定した同分割型ザル１はシンク１１の底面に接触していないので、同分割型ザル１に具材を入れ水切りをしながら、シンク１１で蛇口から水を流して洗い物などの作業もでき、調理スペースも有効に利用できる。
【００２９】
まな板１２の上で具材を切っていくと、切られた具材はまな板１２の上に溜まり、まな板１２の上のスペースが少なくなり作業がしにくくなるので、まな板１２の上の具材をいったん別の容器に移さなければならない場合がある。図９に示すようにシンク１１に同分割型ザル１を二つの半円形状に分割してシンク用固定部材９を利用し固定する際は、図１０に示すように調理台とほぼ同じ高さに調整して固定することができるので、まな板１２の上で具材を切って、まな板１２の上に溜まった具材をそのまま包丁で滑らせて同分割型ザル１の中へ容易に落とし込んで入れることができる。その都度まな板上の具材を手で掬って入れる手間が省け作業効率が向上する。別の種類の具材を入れる時はいったん同分割型ザル１をシンク用固定部材９から取り外し、分割したもう一つの同分割型ザル１を固定して使用することができる。
【００３０】
同分割型ザル１を分割すると半円形状になるため仕切り板７の部分は直線状になるので、シンク１１の側面に沿って固定することができ、シンク１１との隙間もなく具材を包丁で滑らせて同分割型ザル１に入れる際にも具材はシンク１１にこぼれず同分割型ザル１に入れることができる。シンク用固定部材９の吸盤１０が３箇所あるのは具材の重みに耐えるためであるが、吸盤１０の吸着力を強めれば３箇所でなくてもよい。底面の吸盤１０をなくして上縁２の部分の２箇所だけでもよい。その場合は、シンク用固定部材９の形状は半円状になる。
【００３１】
同分割型ザル１を分割しないで一つの円形状のザルとして使用することもできる。一つの円形状のザルとして使用する時は、一般的なザルと同じである。また、同分割型ザル１を分割しないで、ザルの中を仕切って使用したい時は図１１に示すように仕切り板７を装着するとザルは二つに仕切ることができる。仕切り板７が２枚装着できるのは、同分割型ザル１を二つに分割して使用するときのためであり、分割して使用しないときは１枚の仕切り板７で仕切るだけでもよい。
【００３２】
仕切り板７を装着することにより、同分割型ザル１の中は二つに仕切られ、それぞれ違う種類の具材を入れることができる。たとえば、一方に茹で上げた熱い具材を入れ、他方に冷たい野菜などを入れても仕切り板７で仕切られているため問題はない。
【００３３】
例えば千切りにしたキャベツを同分割型ザル１の仕切られた一方に入れて、茹でたブロッコリーなどを仕切り板７で仕切られた他方へ鍋から煮汁とともに流し込んでも同分割型ザル１は仕切り板７で仕切られているため千切りにしたキャベツに煮汁がかかることなく煮汁は網状部材４からシンクへ流れるようになる。また、茹でたブロッコリーを入れたまま隣の仕切られたザルの中にある千切りにしたキャベツを水で洗うこともできる。その時も仕切り板７があるため茹でたブロッコリーの方へは水はかからない。
【００３４】
以上のように、同分割型ザル１は一つのザルで仕切り板７を装着し、仕切って使用することもでき、分割して仕切り板７を装着し二つのザルとして使用することもできる。また、シンク用固定部材９を使用しシンク１１に固定して使用することもできる。仕切り板７を装着する時は、同分割型ザル１を分割してもしなくても関係なく容易に仕切り板７を装着することができる。    
【実施例２】
【００３５】
次に、本発明の分割型ザル１３の実施例２について図面を参照しながら説明する。図１
２は分割型ザル１３を分割した時の上方斜視図であり、図１３は同分割型ザル１３の側縁１４の上方斜視図の拡大図であり、図１４（ａ）は仕切り板１６の正面図であり、図１４（ｂ）は仕切り板１６の上面図であり、図１４（ｃ）は中仕切り小板１８の正面図であり、図１５は同分割型ザル１３に仕切り板１６と中仕切り小板１８を装着する方法を示す上方斜視図であり、図１６は同分割型ザル１３を分割せずに仕切り板１６と中仕切り小板１８を装着した状態の上面図であり、図１７（ａ）は分割型ザル１９に仕切り板２３と中仕切り小板２４を装着する方法を示す上方斜視図であり、図１７（ｂ）はシンク用固定部材２６の上方斜視図である。
【００３６】
図１２に示すように第１の実施例からさらに側縁１４を設け、図１３に示すように側縁１４に中仕切り小板挿入溝１５を設け、図１４（ａ）（ｂ）に示すように仕切り板１６に図１４（ｃ）に示す中仕切り小板１８を固定するための中仕切り小板挿入溝１７を設けるこにより中仕切り小板１８を装着することができる。
【００３７】
仕切り板１６の装着方法は実施例１と同様であり、中仕切り小板１８の装着方法は、仕切り板１６を装着してから側縁１４と仕切り板１６の上方から中仕切り小板挿入溝１５と１７に嵌め込み、下方にスライドして装着する。図１５に示すように仕切り板１６と中仕切り小板１８を装着すれば分割型ザル１３は図１６に示すように同分割型ザル１３を分割しない状態でザルの中を四つ、中仕切り小板１８を一つ取り外せば三つに仕切られ、同分割型ザル１３を分割した時はザルの中を２つに仕切ることができ、実施例１よりもさらに違う種類の具材を小分けして入れることができる。また、実施例１と同様にシンク用固定部材９を使用しシンク１１に固定して使用することができる。
【００３８】
ここまで分割型ザルを円形状として説明してきたが、ザルの形状は円形状でなくてもよく、例えば図１７（ａ）に示す分割型ザル１９のように四角形のザルでもよい。四角形のザルの場合もこれまでの実施例で示した円形状のザルと同様の構成であり、側縁２１には仕切り板２３を固定するための仕切り板挿入溝を設け、上縁２０にはシンク用固定部材２６に固定するための固定溝を設け、仕切り板２３と側縁２２には中仕切り小板２４を装着するための中仕切り小板挿入溝２５を設ける。四角形のザルであっても実施例１及び実施例２と同様の効果を得ることができる。四角形のザルでは、シンクに固定して使用する場合、図１７（ｂ）に示すシンク用固定部材２６を使用し固定する。シンク用固定部材２６もシンク用固定部材９と同様に３箇所で固定するように示したが、実施例１で記載したように２箇所で固定してもよい。
【００３９】
すべての実施例で共通するのは、二分割可能に形成したザルの対向側縁に連結部材と対向側縁に仕切り板を装着するための溝とシンク用固定部材に固定するための溝を備えることを特徴とし、仕切り板を装着し二つに分割して使用することができる分割型ザルである。また、分割せずに仕切り板を装着することにより違う種類の具材を小分けにして入れることができる。二つに分割し、シンク用固定部材を利用してシンクに固定することができ、まな板の上で切った具材をそのままスライドさせて同分割型ザルに落とし込むことができる。収納する際も分割して重ねて収納すれば収納スペースも少なくてすみ、同分割型ザルを仕切って具材を小分けにして入れたり、分割して使用すると複数のザルを使用せずにすむので洗い物も少なくてすむ。
【符号の説明】
【００４０】
１    分割型ザル
２    上縁
３    側縁
４    網状部材
５    連結部材
６    仕切り板挿入溝
７    仕切り板
８    固定溝
９    シンク用固定部材
１０  吸盤
１１  シンク
１２  まな板
１３  分割型ザル
１４  側縁
１５  中仕切り小板挿入溝
１６  仕切り板
１７  中仕切り小板挿入溝
１８  中仕切り小板
１９  分割型ザル
２０  上縁
２１  側縁
２２  側縁
２３  仕切り板
２４  中仕切り小板
２５  中仕切り小板挿入溝
２６  シンク用固定部材
【図１】
2014132944.tif 000003
【図２】
2014132944.tif 000004
【図３】
2014132944.tif 000005
【図４】
2014132944.tif 000006
【図５】
2014132944.tif 000007
【図６】
2014132944.tif 000008
【図７】
2014132944.tif 000009
【図８】
2014132944.tif 000010
【図９】
2014132944.tif 000011
【図１０】
2014132944.tif 000012
【図１１】
2014132944.tif 000013
【図１２】
2014132944.tif 000014
【図１３】
2014132944.tif 000015
【図１４】
2014132944.tif 000016
【図１５】
2014132944.tif 000017
【図１６】
2014132944.tif 000018
【図１７】
2014132944.tif 000019